(57)【要約】【課題】複数のボタン操作を行うことができ、かつ、デザイン性を向上できるボタンを提供すること。【解決手段】ボタン４は、ケース３に対して出没可能に、かつ互いに所定の距離以上離れて設けられた複数のボタン軸４１を備えている。ボタン４は、これら各ボタン軸４１を覆うボタンカバー４４を備えている。そして、ボタンカバー４４は、各ボタン軸４１の軸方向に対して傾斜可能に、かつ、ケース３から脱落しないように各ボタン軸４１、またはケース３に係合されている。これにより、直下にボタン軸４１が配置されているボタンカバー４４の一部分を押下した際に、当該ボタン軸４１のみを、十分に押し込むことができる。従って、ボタン軸４１が配置されている各部分ごとにボタン操作を行うことができる。また、ボタンカバー４４は、各ボタン軸４１を覆っているので、ケース３から突出する各ボタン軸４１を隠すことができ、デザイン性を向上できる。【選択図】図２
2008096232.tif 000002
【特許請求の範囲】
【請求項１】
ケースに対して出没可能に、かつ、互いに所定の距離以上離れて設けられた複数のボタン軸と、
前記各ボタン軸を覆うボタンカバーとを備え、
前記ボタンカバーは、前記各ボタン軸の軸方向に対して傾斜可能に、かつ、前記ケースから脱落しないように、前記各ボタン軸、または前記ケースに係合されている
ことを特徴とするボタン。
【請求項２】
請求項１に記載のボタンにおいて、
前記各ボタン軸の頭部には、所定の厚みを有し、かつ、柔軟な素材から構成され、前記ボタン軸と前記ボタンカバーとを接着する接着部材が設けられ、
前記ボタンカバーは、当該接着部材によって前記各ボタン軸の頭部に接着されることにより、前記各ボタン軸の軸方向に対して傾斜可能に、かつ、前記ケースから脱落しないように、前記各ボタン軸に係合される
ことを特徴とするボタン。
【請求項３】
請求項１に記載のボタンにおいて、
前記各ボタン軸の頭部には、当該ボタン軸の頭部から起立し、先端に球状部が形成されたジョイント部が設けられ、
前記ボタンカバーの前記各ボタン軸の頭部に対応する位置には、前記球状部が嵌合される凹状の受口が形成され、
前記ボタンカバーは、前記ジョイント部の前記球状部が前記ボタンカバーの前記受口に嵌合され、前記各ボタン軸の頭部に連結されることにより、前記各ボタン軸の軸方向に対して傾斜可能に、かつ、前記ケースから脱落しないように、前記各ボタン軸に係合される
ことを特徴とするボタン。
【請求項４】
請求項１に記載のボタンにおいて、
前記ケースの前記各ボタン軸が設けられた位置とは異なる位置には、ねじ穴が設けられ、
前記ボタンカバーの前記ねじ穴と対応する位置には、孔が穿設され、
前記ボタンカバーは、前記孔にねじが挿入され、当該ねじが前記ケースに設けられた前記ねじ穴に螺合することにより、前記各ボタン軸の頭部に当接可能に設置されるとともに、前記各ボタン軸の軸方向に対して傾斜可能に、かつ、前記ケースから脱落しないように、前記ケースに係合される
ことを特徴とするボタン。
【請求項５】
請求項１に記載のボタンにおいて、
前記ボタンカバーは、柔軟な素材から構成され、前記各ボタン軸の頭部に接合されることにより、前記各ボタン軸の軸方向に対して傾斜可能に、かつ、前記ケースから脱落しないように、前記各ボタン軸に係合される
ことを特徴とするボタン。
【請求項６】
請求項１から請求項５のいずれかに記載のボタンにおいて、
前記ケースには溝が形成され、
前記ボタン軸は前記溝の底面に対して出没可能に設けられ、
前記ボタンカバーは、前記溝の中に出没可能に設けられている
ことを特徴とするボタン。
【請求項７】
請求項１に記載のボタンにおいて、
前記ケースには、平面視円環状の溝が形成され、
前記溝を形成する内周側の側壁、または外周側の側壁には、前記溝の底面から離れた位置に、かつ、前記溝の内側に向かって突出した雌ねじ部が形成され、
前記ボタン軸は前記溝の底面に対して出没可能に設けられ、
前記ボタンカバーは、平面視円環状に形成されて前記各ボタン軸を覆う本体部と、前記本体部から前記溝の底面側に延設された内周側および外周側の側壁部とを備え、
前記ボタンカバーの内周側の側壁部、または外周側の側壁部には、当該側壁部から前記雌ねじ部が形成された内周側または外周側の前記側壁に向かって突出し、前記雌ねじ部に螺合する雄ねじ部が形成され、
前記ボタンカバーは、前記側壁に螺合し回転されて、前記雄ねじ部が前記側壁に形成された前記雌ねじ部を通過し、前記雄ねじ部が前記雌ねじ部の溝底面側に配置されて前記ボタンカバーが前記各ボタン軸の頭部に当接可能に設置されることにより、前記ボタンカバーは、前記各ボタン軸の軸方向に対して傾斜可能に、かつ、前記ケースから脱落しないように、前記ケースに係合される
ことを特徴とするボタン。
【請求項８】
請求項１に記載のボタンにおいて、
前記ケースには、溝が形成され、
前記ボタン軸は前記溝の底面に対して出没可能に設けられ、
前記溝を形成する側壁の先端部には、前記溝の内側に向かって突出する突出部が設けられ、
前記ボタンカバーは、前記突出部の溝底面側に配置される係合部を備え、
前記係合部は、弾性を有し、内側に押し込み可能に形成され、
前記ボタンカバーは、前記係合部が内側に押し込まれながら前記溝に挿入され、前記係合部の押し込みが解除され、前記係合部が前記突出部の溝底面側に配置されるとともに、前記各ボタン軸の頭部に当接可能に設置されることにより、前記各ボタン軸の軸方向に対して傾斜可能に、かつ、前記ケースから脱落しないように、前記ケースに係合される
ことを特徴とするボタン。
【請求項９】
略円筒状に形成された表示装置であって、
略円筒状に形成された前記ケースと、前記ケースの外周面に設けられた表示部と、前記ケースの端面に配設されて前記表示部を操作する請求項１から請求項８のいずれかに記載のボタンとを備えている
ことを特徴とする表示装置。
【発明の詳細な説明】
【技術分野】
【０００１】
本発明は、ボタンおよび表示装置に関する。
【背景技術】
【０００２】
従来、環状に形成されたケースの周面に表示部が設けられているとともに、ケース側面に、前記表示部を操作する複数の操作ボタンが配設されたリスト機器が知られている（例えば、特許文献１参照）。この特許文献１に記載のリスト機器に見られるように、一般に、表示部等の操作用のボタンは、複数の操作ボタンがケースから突出して設けられている。
【０００３】
【特許文献１】特開２００６−２００９０９号公報
【発明の開示】
【発明が解決しようとする課題】
【０００４】
しかしながら、前記特許文献１に記載のボタンでは、複数の操作ボタンがケースから突出しているため、デザイン上好ましくない場合がある。
【０００５】
本発明の目的は、複数のボタン操作を行うことができ、かつ、デザイン性を向上できるボタンおよび表示装置を提供することにある。
【課題を解決するための手段】
【０００６】
本発明のボタンは、ケースに対して出没可能に、かつ、互いに所定の距離以上離れて設けられた複数のボタン軸と、前記各ボタン軸を覆うボタンカバーとを備え、前記ボタンカバーは、前記各ボタン軸の軸方向に対して傾斜可能に、かつ、前記ケースから脱落しないように、前記各ボタン軸、または前記ケースに係合されていることを特徴とする。
本発明によれば、ボタンカバーは、各ボタン軸の軸方向に対して傾斜可能に、各ボタン軸、またはケースに係合されているうえ、各ボタン軸は、互いに所定の距離以上離れて配置されている。これにより、ボタンカバー上面において、直下にボタン軸が配置されている部分（以降、押圧部と表記する）を押下した際に、他のボタン軸では、ボタンカバーが傾斜するため、そのボタン軸が連動してボタン入力が認識される程度までには押下されることがない。このため、当該ボタン軸のみを、その入力が認識されるように十分に押し込むことができ、ボタンカバーが一体であっても、各押圧部ごとにボタン操作を行うことができる。
ここで、一般的に、ボタン軸には、当該ボタン軸が挿入されるケースに設けられた孔と、当該ボタン軸との間に形成される隙間を塞ぐために、防水用のパッキンが嵌められる。本発明のボタンでは、ボタンカバーは、各ボタン軸の軸方向に対して傾斜可能に、各ボタン軸、またはケースに係合されているので、ボタンカバーの押圧部（直下にボタン軸が配置されている部分）を押下した際に、他の押圧部のボタン軸が斜めになることがない。これにより、パッキンの防水性能を十分に発揮させることができ、防水性能を良好に維持できる。
ボタンカバーは、各ボタン軸を覆っているので、ケースから突出する複数のボタン軸を隠すことができ、デザイン性を向上できる。
【０００７】
本発明では、前記各ボタン軸の頭部には、所定の厚みを有し、かつ、柔軟な素材から構成され、前記ボタン軸と前記ボタンカバーとを接着する接着部材が設けられ、前記ボタンカバーは、当該接着部材によって前記各ボタン軸の頭部に接着されることにより、前記各ボタン軸の軸方向に対して傾斜可能に、かつ、前記ケースから脱落しないように、前記各ボタン軸に係合されることが好ましい。
本発明によれば、ボタンカバーとボタン軸の頭部とは、所定の厚みを有し、かつ、柔軟な素材から構成された両面テープ等の接着部材により接着されているので、ボタンカバーは、各ボタン軸の軸方向に対して傾斜可能に設けられている。
また、ボタンカバーとボタン軸の頭部とは、両面テープ等の接着部材により接着されているので、ボタンカバーがボタン軸から脱落することを確実に防止できる。
【０００８】
本発明では、前記各ボタン軸の頭部には、当該ボタン軸の頭部から起立し、先端に球状部が形成されたジョイント部が設けられ、前記ボタンカバーの前記各ボタン軸の頭部に対応する位置には、前記球状部が嵌合される凹状の受口が形成され、前記ボタンカバーは、前記ジョイント部の前記球状部が前記ボタンカバーの前記受口に嵌合され、前記各ボタン軸の頭部に連結されることにより、前記各ボタン軸の軸方向に対して傾斜可能に、かつ、前記ケースから脱落しないように、前記各ボタン軸に係合されることが好ましい。
本発明によれば、ボタン軸の頭部から起立するジョイント部の先端の球状部が、ボタンカバーに形成された受口に嵌合されること（いわゆるボールジョイント）により、ボタン軸とボタンカバーとは、傾斜可能に連結されている。また、ボタンカバーは、ボールジョイントによってボタン軸に連結されているので、ケースからの脱落が防止されている。
ボタン軸と、ボタンカバーとは、ボールジョイントによって連結されるので、ケースにボタン軸を取り付けた後に、ボタンカバーをボタン軸に取り付けることでボタンカバーを設置したり、ボタンカバーにボタン軸を取り付け、それからボタン軸をケースに取り付けることで、ボタンカバーを設置したりすることができ、組立手順の自由度を高めることができる。
ボタン軸と、ボタンカバーとは、いわゆるボールジョイントによって連結されるので、連結位置が受口によって決められており、ボタンカバーを設置することで、同時に、位置決め調整することなくケースに対して適切な位置にボタンカバーを位置決めすることができる。
【０００９】
本発明では、前記ケースの前記各ボタン軸が設けられた位置とは異なる位置には、ねじ穴が設けられ、前記ボタンカバーの前記ねじ穴と対応する位置には、孔が穿設され、前記ボタンカバーは、前記孔にねじが挿入され、当該ねじが前記ケースに設けられた前記ねじ穴に螺合することにより、前記各ボタン軸の頭部に当接可能に設置されるとともに、前記各ボタン軸の軸方向に対して傾斜可能に、かつ、前記ケースから脱落しないように、前記ケースに係合されることが好ましい。
本発明によれば、ボタンカバーは、ねじに挿通され、当該ねじの頭に引っ掛けられているので、ケースからの脱落が防止されている。また、ボタンカバーは、ボタン軸とは接合しておらず、ボタン軸と当接可能に設置されている。これにより、ボタンカバーの孔を、ねじの径より大きい径を備えた孔に形成し、ねじと孔との間に隙間を設けることで、ボタンカバーをボタン軸の軸方向に対し傾斜可能に設置できる。
また、ボタンカバーは、ねじによってケースに係合され、各ボタン軸とは、当接可能に設置されている。従って、ねじを取り外すことで、ボタンカバーをケースから簡単に取り外すことができ、ボタン軸等のメンテナンスを容易に行うことができる。
また、ボタンカバーのケースとの連結位置は、ケースに設けられたねじ穴によって決められているので、ボタンカバーを設置することで、同時に、位置決め調整することなくケースに対して適切な位置にボタンカバーを位置決めすることができる。
【００１０】
本発明では、前記ボタンカバーは、柔軟な素材から構成され、前記各ボタン軸の頭部に接合されることにより、前記各ボタン軸の軸方向に対して傾斜可能に、かつ、前記ケースから脱落しないように、前記各ボタン軸に係合されることが好ましい。
ボタンカバーと、ボタン軸とは、例えば、ボタンカバーのケースと対向する面側に切込みが設けられ、この切り込み内にボタン軸が差し込まれることにより接合されたり、ボタンカバーのケースと対向する面側に、ボタン軸頭部が接着されることにより接合されることが考えられる。
ここで、本発明によれば、ボタンカバーは、ゴム等の柔軟な素材から構成されているので、ボタン軸の軸方向に対し傾斜可能に設置されている。また、ボタンカバーは、ボタン軸頭部と例えば前述のような方法で接合されているので、ケースからの脱落が防止されている。
ボタンカバーは、ある押圧部（ボタンカバー上面において、直下にボタン軸が配置されている部分）が押下された際に、ボタンカバーのある押圧部と他の押圧部との間の部分が変形する。これにより、他の押圧部が、押下されたある押圧部に連動して動くことを抑制することができ、よりスムーズに押圧部を押下できて操作性を向上できる。
【００１１】
本発明では、前記ケースには溝が形成され、前記ボタン軸は前記溝の底面に対して出没可能に設けられ、前記ボタンカバーは、前記溝の中に出没可能に設けられていることが好ましい。
本発明によれば、ボタン軸は、溝の中に設けられているので、上面側をボタンカバーで覆われているとともに、側面側を溝を構成する側壁に覆われている。これにより、ケースから突出する複数のボタン軸を十分に隠すことができ、デザイン性をより向上できる。
【００１２】
本発明では、前記ケースには、平面視円環状の溝が形成され、前記溝を形成する内周側の側壁、または外周側の側壁には、前記溝の底面から離れた位置に、かつ、前記溝の内側に向かって突出した雌ねじ部が形成され、前記ボタン軸は前記溝の底面に対して出没可能に設けられ、前記ボタンカバーは、平面視円環状に形成されて前記各ボタン軸を覆う本体部と、前記本体部から前記溝の底面側に延設された内周側および外周側の側壁部とを備え、前記ボタンカバーの内周側の側壁部、または外周側の側壁部には、当該側壁部から前記雌ねじ部が形成された内周側または外周側の前記側壁に向かって突出し、前記雌ねじ部に螺合する雄ねじ部が形成され、前記ボタンカバーは、前記側壁に螺合し回転されて、前記雄ねじ部が前記側壁に形成された前記雌ねじ部を通過し、前記雄ねじ部が前記雌ねじ部の溝底面側に配置されて前記ボタンカバーが前記各ボタン軸の頭部に当接可能に設置されることにより、前記ボタンカバーは、前記各ボタン軸の軸方向に対して傾斜可能に、かつ、前記ケースから脱落しないように、前記ケースに係合されることが好ましい。
【００１３】
本発明によれば、側壁には、溝の内側に向かって突出した雌ねじ部が設けられ、ボタンカバーの側壁部には、当該側壁部から前記雌ねじ部が形成された前記側壁に向かって突出する雄ねじ部が形成されている。
これにより、ボタンカバーは、側壁に螺合し回転され、雄ねじ部が側壁に形成された雌ねじ部を通過することで、雄ねじ部が雌ねじ部の溝底面側、かつ、雄ねじ部あるいは雌ねじ部の突出分、雄ねじ部が雌ねじ部の内側に配置される。従って、雄ねじ部が雌ねじ部に引っ掛かるので、ボタンカバーのケースからの脱落が防止される。
ボタンカバーは、ボタン軸とは接合しておらず、ボタン軸と当接可能に設置されている。また、雌ねじ部あるいは雄ねじ部の突出分、雄ねじ部は、雌ねじ部の内側に配置可能となるので、ボタンカバーと、内周側および外周側の側壁との間には、隙間が形成される。これにより、ボタンカバーは、ボタン軸の軸方向に対し傾斜可能に設置される。
ボタンカバーを、側壁に螺合し回転させ、雄ねじ部に雌ねじ部を通過させることで、各ボタン軸の軸方向に対して傾斜可能に、かつ、ケースから脱落しないように設置することができる。これにより、ボタンカバーを設置するのに治具を使用する必要や、位置決めする必要がなくて組立作業を容易にできる。
また、設置されたボタンカバーを、側壁に螺合させることで、ケースから簡単に取り外すことができるので、ボタン軸等のメンテナンスを容易に行うことができる。
【００１４】
本発明では、前記ケースには、溝が形成され、前記ボタン軸は前記溝の底面に対して出没可能に設けられ、前記溝を形成する側壁の先端部には、前記溝の内側に向かって突出する突出部が設けられ、前記ボタンカバーは、前記突出部の溝底面側に配置される係合部を備え、前記係合部は、弾性を有し、内側に押し込み可能に形成され、前記ボタンカバーは、前記係合部が内側に押し込まれながら前記溝に挿入され、前記係合部の押し込みが解除され、前記係合部が前記突出部の溝底面側に配置されるとともに、前記各ボタン軸の頭部に当接可能に設置されることにより、前記各ボタン軸の軸方向に対して傾斜可能に、かつ、前記ケースから脱落しないように、前記ケースに係合されることが好ましい。
【００１５】
本発明によれば、ボタンカバーは、作業者により係合部が内側に押し込まれながら溝に挿入され、係合部の押し込みが解除されることにより、係合部が突出部の内側に配置されるので、ケースからの脱落が防止される。
また、この際、ボタンカバーは、ボタン軸とは接合しておらず、ボタン軸とは当接可能に設置されるので、ボタンカバーは、ボタン軸の軸方向に対して傾斜可能に設置される。
ボタンカバーは、作業者により係合部が内側に押し込まれながら溝に挿入され、係合部の押し込みが解除されることにより、側壁に係合されて設置されるので、設置するのに治具を使用する必要や、位置決めする必要がなくて組立作業を容易にできる。しかも、係合部を内側に押し込みながらボタンカバーを溝に挿入するだけで、簡単にボタンカバーを設置することができるので、組立作業をより容易にできる。
【００１６】
本発明の表示装置は、略円筒状に形成された表示装置であって、略円筒状に形成された前記ケースと、前記ケースの外周面に設けられた表示部と、前記ケースの端面に配設されて前記表示部を操作する前述のボタンとを備えていることを特徴とする。
本発明によれば、前述のボタンを備えるので、前述と同様の作用および効果を享受できる。
また、ボタンは、略円筒状に形成されたケースの端面に配設されているので、ケースの周面にわたって表示部を設けることができ、表示部に対する視認性や、表示装置のデザイン性を向上できる。
【発明の効果】
【００１７】
本発明によれば、複数のボタン操作を行うことができ、かつ、デザイン性を向上できる。
【発明を実施するための最良の形態】
【００１８】
〔第１実施形態〕
以下、本発明の第１実施形態を図面に基づいて説明する。
図１は、本実施形態に係る時計１Ａの分解斜視図である。
本実施形態の表示装置である時計１Ａは、図１に示すように、使用者の手首等に嵌められる腕時計として構成され、時刻や日付等を表示する表示部を構成する表示パネル２と、この表示パネル２を内部に収納するケース３と、ケース３に設けられて前記表示パネル２を操作するボタン４とを備えている。
【００１９】
ケース３は、図１に示すように、略円筒状に形成され、外周面には、略全周に亘って表示パネル２が設けられている。この表示パネル２は、可撓性を有する電気泳動ディスプレイで構成され、ケース３の周面に形成された開口部３１から外部に露出している。なお、開口部３１には、当該開口部３１を閉塞する透光性のカバーガラス３２が設けられており、表示パネル２は、このカバーガラス３２によって外部から保護されている。
【００２０】
ケース３の一端側の面には、図１に示すように、一端側の面の外縁に沿って立設する外周側の側壁３３Ａと、一端側の面の内縁に沿って立設する内周側の側壁３３Ｂとにより、平面視略円環状の溝３４が形成されている。また、ケース３の一端側の面には、この溝３４を覆うように、表示パネル操作用のボタン４が配設されている。
【００２１】
図２は、ボタン４の構造を示す時計１Ａの断面図である。
ボタン４は、図１および図２に示すように、溝３４の底面に嵌入されたボタンガイド３５の孔３５１に挿入された複数（３個）のボタン軸４１と、このボタン軸４１を突出方向に付勢するコイルばね４２と、ボタン軸４１の突出方向への移動を規制するＥリング４３と、ボタン軸４１の頭部（以後ボタン軸頭部４１２と表記することがある）に接合された略円環状のボタンカバー４４とを備えて構成されている。また、ボタン軸４１の先端部分からボタン軸４１の没入方向（図２中左方向）に所定距離だけ離れた位置には、表示パネル２を制御する図示しない制御基板に信号を送るスイッチ端子５１，５２が設けられている。
【００２２】
ボタン軸４１は、図１に示すように、溝３４において、溝３４が連続する円周方向に略等間隔（１２０度間隔）に３つ配置されている。これらのボタン軸４１は、図２に示すように、略円柱状のボタン軸本体４１１と、ボタン軸本体４１１の突出方向（図２中右側）先端にボタン軸本体４１１より大きい径に形成された略円板状のボタン軸頭部４１２とを備えて構成されている。
【００２３】
本実施形態では、このボタン軸頭部４１２と、ボタンカバー４４とが接着部材４１２１により接着されている。接着部材４１２１は、所定の厚みを有し、かつ、柔軟な素材から構成された両面テープ等で構成され、ボタン軸頭部４１２と、ボタンカバー４４とを接着している。これにより、ボタンカバー４４は、ボタン軸４１の軸方向に対して傾斜可能に設けられている。
ボタン軸本体４１１のボタンガイド３５に挿入される部分には、図２に示すように、溝４１１１が形成され、当該溝４１１１には、Ｏリング等からなる防水用のパッキン４１１２が嵌められている。このパッキン４１１２は、ボタンガイド３５の孔３５１内面に密着し、孔３５１とパッキン４１１２との隙間から水が浸入することを防いでいる。また、ボタン軸本体４１１の先端部分には溝４１１３が形成され、当該溝４１１３には、後述するＥリング４３が嵌められている。
【００２４】
コイルばね４２は、図２に示すように、ボタン軸本体４１１に挿通され、ボタン軸頭部４１２と、ボタンガイド３５との間に配置されている。このコイルばね４２は、ボタン軸４１が没入方向（図２中左方向）に移動した際に、当該ボタン軸４１を突出方向（図２中右方向）に付勢する。
Ｅリング４３は、ボタン軸本体４１１の先端部分に形成された溝４１１３に嵌められており、ケース３に当接することでボタン軸４１が所定の位置よりも突出方向に移動することを規制する。ボタン軸４１は、これらコイルばね４２、およびＥリング４３が取り付けられることにより、溝３４の底面に対して出没可能に設けられている。
【００２５】
ボタンカバー４４は、図１および図２に示すように、平面視略円環状に形成され、各ボタン軸４１に接着された本体部４４１と、本体部４４１の両端から溝３４の底面側に延設された側壁部４４２Ａ，４４２Ｂとを備えて断面視略Ｕ字状、かつ、溝３４の幅より若干小さい幅に形成されている。また、ボタンカバー４４の上面において、図１に示すように、直下にボタン軸４１が配置される部分には、●▲■の記号が表記されている。以降、ボタンカバー４４において、直下にボタン軸４１が配置される部分（●▲■の記号が表記された部分）を押圧部４４３と呼ぶ。
【００２６】
ボタンカバー４４は、ケース３にボタン軸４１が取り付けられた後に、●▲■の記号が表記された部分（押圧部４４３）がボタン軸頭部４１２の真上に来るように、ボタン軸頭部４１２に取り付けられる。これにより、ボタンカバー４４は、ボタンカバー４４と両側壁３３Ａ，３３Ｂとの間に若干の隙間ができる位置、かつ、ボタンカバー４４と両側壁３３Ａ，３３Ｂとが同心円になる位置に配置され、ボタン軸４１の軸方向に対し傾斜可能に設置される。なお、ボタンカバー４４は、まず、ボタン軸４１がボタンカバー４４に取り付けられ、ボタン軸４１がケース３に取り付けられることによりケース３に対して設置されてもよい。また、ボタンカバー４４は、本体部４４１の上面がケース３の外面と略連続するように、側壁３３Ａ，３３Ｂのケース３一端側の面における端面３３１からあまり突出しないように設けられている。
【００２７】
以下にボタン操作について説明する。
ボタンカバー４４のある押圧部４４３が押下されることにより、当該押圧部４４３直下のボタン軸４１は、没入方向に移動し、スイッチ端子５１を押下する。この際、ボタンカバー４４と各ボタン軸４１とは傾斜可能に設けられているうえ、各ボタン軸４１は溝３４が連続する円周方向に略等間隔（１２０度間隔）に配置されているので、他の押圧部４４３では、ボタン軸４１は、スイッチ端子５１を押下するほどには、当該他の押圧部４４３により没入方向に押下されない。これにより、押下した押圧部直下のボタン軸４１のみが、スイッチ端子５１を押下する。そして、スイッチ端子５１とスイッチ端子５２とが接触することにより、表示パネル２を制御する図示しない制御基板に入力信号が送られ、表示パネル２が操作される。
【００２８】
以上のような、本実施形態の時計１Ａによれば、以下のような効果がある。
（１）本実施形態のボタン４では、ボタンカバー４４は、所定の厚みを有し、かつ、柔軟な素材から構成された接着部材４１２１により、各ボタン軸４１に、ボタン軸４１の軸方向に対して傾斜可能に接着されている。また、各ボタン軸４１は互いに所定の距離離れて配置されている。さらに、ボタンカバー４４は、溝３４の幅より若干小さい幅に形成され、側壁３３Ａ，３３Ｂとの間には、隙間が設けられている。これにより、ある押圧部４４３を押下した際に、他の押圧部４４３直下のボタン軸４１では、ボタンカバー４４が傾斜するため、そのボタン軸４１が連動してボタン入力が認識される程度までには押下されることがない。従って、本実施形態のボタン４では、押下した押圧部４４３直下のボタン軸４１のみを、その入力が認識されるように十分に押し込むことができ、ボタンカバー４４が一体であっても、各押圧部４４３ごとにボタン操作することができる。
【００２９】
（２）ボタンカバー４４は、接着部材４１２１により、各ボタン軸４１に、各ボタン軸４１の軸方向に対して傾斜可能に接着されているので、ボタンカバー４４のある押圧部４４３を押下した際に、他の押圧部４４３のボタン軸４１が斜めになることがない。これにより、パッキン４１１２の防水性能を十分に発揮させることができ、防水性能を良好に維持できる。
（３）ボタンカバー４４とボタン軸頭部４１２とは、両面テープ等の接着部材４１２１により接着されているので、ボタンカバー４４がボタン軸４１から脱落することを防止できる。
【００３０】
（４）ボタンカバー４４は、各ボタン軸４１を覆っているので、ケース３から突出する各ボタン軸４１を隠すことができ、デザイン性を向上できる。また、ボタン軸４１は、溝３４の中に設けられているので、ボタン軸４１の側面側も隠すことができ、よりボタン軸４１を目立たなくできる。
（５）ボタンカバー４４は、側壁３３Ａ，３３Ｂの一端側の面における端面３３１からあまり突出しないように設けられている。これにより、ボタン４の上面を、ケース３の外面と略連続させることができるので、ボタン４をケース３から目立たなくすることができ、デザイン性をより向上できる。
【００３１】
（６）ボタンカバー４４は、平面視略円環状に形成され、各ボタン軸４１と接着しているので、押圧部４４３から若干ずれた部分を押下しても、ボタン軸４１を押下することができる。
（７）ボタン４は、略円筒状に形成されたケース３の端面に配設されている。これにより、ケース３の周面にわたって表示パネル２を設けることができ、表示パネル２に対する視認性や、時計１Ａのデザイン性を向上できる。
【００３２】
図３は、本発明の第２実施形態に係るボタン４の構造を示す時計１Ｂの断面図である。なお、本第２実施形態以降において、前記第１実施形態と同一機能部位には、同一符号を付し、それらの説明を省略、若しくは簡略化する。
本実施形態の時計１Ｂは、前述の時計１Ａと略同様の構成を備えるが、前述の時計１Ａでは、ボタンカバー４４と、ボタン軸４１とは、ボタン軸頭部４１２に設けられた両面テープ等の接着部材４１２１により接着されていたが、本実施形態の時計１Ｂでは、ボタンカバー４４と、ボタン軸４１とは、ボールジョイントによって傾斜可能に連結されている点が前述の時計１Ａとの相違点である。
【００３３】
各ボタン軸４１の頭部４１２には、図３に示すように、ボタン軸頭部４１２から起立する棒状部４１２２と、棒状部４１２２の先端に設けられた球状部４１２３とからなるジョイント部４１２４が設けられている。また、ボタンカバー４４のボタン軸頭部４１２に対応する位置の肉厚は、厚く形成され、この肉厚部分には、前記球状部を嵌め込むための受口４４４が形成されている。そして、この受口４４４に球状部４１２３が嵌合されることにより、ボタン軸４１は、ボタンカバー４４に傾斜可能に連結される。
【００３４】
ボタンカバー４４は、ケース３にボタン軸４１を取り付けた後に、ボタン軸４１に取り付けられて設置されてもよいし、ボタンカバー４４にボタン軸４１を取り付け、それからボタン軸４１をケース３に取り付けることで設置されてもよい。どちらの方法でボタンカバー４４を設置しても、ボタンカバー４４には、初めから受口４４４が形成されており、連結位置が決められているので、ボタンカバー４４を位置決め調整することなくケース３に対して適切な位置（ボタンカバー４４と両側壁３３Ａ，３３Ｂとの間に若干の隙間ができる位置、かつ、ボタンカバー４４と両側壁３３Ａ，３３Ｂとが同心円になる位置）に位置決めすることができる。なお、本実施形態では、少なくとも、ボタンカバー４４およびボタン軸４１のいずれか一方は、合成樹脂により形成される。
【００３５】
本実施形態における時計１Ｂでも、ボタンカバー４４は、ボールジョイントにより、各ボタン軸４１と傾斜可能に連結されている。また、ボタン軸４１は互いに所定距離だけ離れて設けられている。これにより、ある押圧部４４３を押下した際に、他の押圧部４４３直下のボタン軸４１では、ボタンカバー４４が傾斜するため、そのボタン軸４１が連動してボタン入力が認識される程度までには押下されることがない。従って、本実施形態のボタン４でも、押下した押圧部４４３直下のボタン軸４１のみを、その入力が認識されるように十分に押し込むことができ、各押圧部４４３ごとにボタン操作することができる。また、ボタンカバー４４は、各ボタン軸４１を覆っているので、ケース３から突出する各ボタン軸４１を隠すことができ、デザイン性を向上できる。従って、前述の時計１Ａと同様に、（１）〜（７）と同様の効果を奏することができるうえ、以下の効果を奏することができる。
【００３６】
（８）ボタンカバー４４とボタン軸４１とを、ボールジョイントにより連結するので、連結位置が受口４４４によって決められており、ボタンカバー４４を設置することで、同時に、位置決め調整することなくケース３に対して適切な位置（ボタンカバー４４と両側壁３３Ａ，３３Ｂとの間に若干の隙間ができる位置、かつ、ボタンカバー４４と両側壁３３Ａ，３３Ｂとが同心円になる位置）にボタンカバー４４を位置決めすることができる。
（９）ボタンカバー４４とボタン軸４１とを、ボールジョイントにより連結するので、ボタンカバー４４を、ケース３にボタン軸４１を取り付けた後にボタン軸４１に取り付けることで設置したり、ボタンカバー４４にボタン軸４１を取り付け、それからボタン軸４１をケース３に取り付けることで設置したりすることができ、時計１Ｂの組立手順の自由度を高めることができる。
【００３７】
図４は、本発明の第３実施形態に係るボタン４の構造を示す時計１Ｃの断面図である。具体的には、図４（Ａ）は、ボタンカバー４４とボタン軸４１との関係を示す図、図４（Ｂ）は、ボタンカバー４４のケース３への係合状態を示す図である。図５は、ボタンカバー４４の要部を示す斜視図である。
本実施形態の時計１Ｃは、前述の時計１Ａと略同様の構成を備えるが、前述の時計１Ａでは、ボタンカバー４４は、接着部材４１２１によりボタン軸頭部４１２に接着されていたが、本実施形態の時計１Ｃでは、ボタンカバー４４は、ねじ３６によりケース３に係合され、ボタン軸頭部４１２に当接可能に設置されている点が前述の時計１Ａとの相違点である。
【００３８】
溝３４の底面において、各ボタン軸４１の間には、図４（Ｂ）に示すように、ねじ穴３７が設けられている。すなわち、ねじ穴３７は、溝３４が連続する円周方向に略等間隔（１２０度間隔）に３つ配置されている。
ボタンカバー４４のこのねじ穴３７に対応する位置には、図４（Ｂ）および図５に示すように、本体部４４１から窪んだ断面視略円形状の収納部４４５が形成されている。収納部４４５の底面には、図４（Ｂ）に示すように、孔４４５１が形成されている。ボタンカバー４４は、この収納部４４５の孔４４５１にねじ３６が挿入され、当該ねじ３６がケース３に設けられたねじ穴３７に螺合することにより、ケース３に係合されるとともに、図４（Ａ）に示すように、ボタン軸頭部４１２に当接可能に設置される。また、孔４４５１の径は、ねじ３６の径より若干大きく形成されており、ねじ３６と孔４４５１との間には、隙間が形成されている。これにより、ボタンカバー４４は、ボタン軸４１の軸方向に対して傾斜可能に、ケース３に係合される。また、ねじ３６は、収納部４４５の底面から頭部３６１が若干浮いた状態で、溝３４の底面に螺合しており、ボタンカバー４４がより傾斜できるようになっている。なお、収納部４４５は、デザイン性の向上のため、キャップなどで塞がれていてもよい。
【００３９】
このような本実施形態における時計１Ｃでも、ボタンカバー４４は、ねじ３６より、ボタン軸４１の軸方向に対して傾斜可能に、ケース３に係合されている。また、ボタン軸４１は、互いに所定距離だけ離れて設けられている。これにより、ある押圧部４４３を押下した際に、他の押圧部４４３直下のボタン軸４１では、ボタンカバー４４が傾斜するため、そのボタン軸４１が連動してボタン入力が認識される程度までには押下されることがない。従って、本実施形態のボタン４でも、押下した押圧部４４３直下のボタン軸４１のみを、その入力が認識されるように十分に押し込むことができ、各押圧部４４３ごとにボタン操作することができる。また、ボタンカバー４４は、各ボタン軸４１を覆っているので、デザイン性を向上できる。従って、（１）〜（８）と同様の効果を奏することができるうえ、以下の効果を奏することができる。
【００４０】
（１０）ボタンカバー４４は、ねじ３６によってケース３に係合されている。また、ボタン軸４１には、当接可能に設置されている。これにより、ねじ３６を取り外すことで、ボタンカバー４４をケース３から簡単に取り外すことができ、ボタン軸４１等のメンテナンスを容易に行うことができる。
【００４１】
図６は、本発明の第４実施形態に係るボタン４の構造を示す時計１Ｄの断面図である。具体的には、図６（Ａ）は、ボタンカバー４４の側壁３３Ａ，３３Ｂとの螺合状態を示す時計１Ｄの断面図、図６（Ｂ）は、ボタンカバー４４の側壁３３Ａ，３３Ｂとの係合状態を示す時計１Ｄの断面図である。
本実施形態の時計１Ｄは、前述の時計１Ａと略同様の構成を備えるが、前述の時計１Ａでは、ボタンカバー４４は、接着部材４１２１によりボタン軸頭部４１２に接着されていたが、本実施形態の時計１Ｄでは、ボタンカバー４４は、外周側の側壁部４４２Ａに形成された雄ねじ部４４２１が外周側の側壁３３Ａに形成された雌ねじ部３３２の溝３４底面側に配置され、側壁３３Ａ，３３Ｂに係合されているとともに、ボタン軸頭部４１２に当接可能に設置されている点が前述の時計１Ａとの相違点である。
【００４２】
図６（Ａ）に示すように、ケース３の一端側の面において、平面視円環状の溝３４を形成する外周側および内周側の側壁３３Ａ，３３Ｂのうち、外周側の側壁３３Ａには、先端部に沿って雌ねじ部３３２が形成されている。雌ねじ部３３２は、溝３４の内側に向かって若干突出しており、その先端には、雌ねじ３３２１が形成されている。また、ボタンカバー４４の外周側および内周側の側壁部４４２Ａ，４４２Ｂのうち、外周側の側壁部４４２Ａには、先端部に沿って雄ねじ部４４２１が形成されている。雄ねじ部４４２１は、当該側壁部４４２Ａから外側に向かって若干突出しており、その先端には、雄ねじ４４２１１が形成されている。
【００４３】
ボタンカバー４４は、図６（Ａ）に示すように、側壁３３Ａ，３３Ｂに螺合し回転されて、雄ねじ部４４２１が雌ねじ部３３２を通過することで、図６（Ｂ）に示すように、雄ねじ部４４２１が雌ねじ部３３２の溝３４底面側に配置され、側壁３３Ａ，３３Ｂに係合される。これにより、ボタンカバー４４のケース３からの脱落が防止される。なお、本実施形態のボタンカバー４４には、●▲■の記号は表記されておらず、●▲■の記号は、ケース３において、使用者から見て視認しやすい位置に表記されている。つまり、●▲■の記号は、例えば、側壁３３Ａ，３３Ｂの端面３３１において、各ボタン軸４１の径方向外側あるいは径方向内側に当たる部分や、外周側の側壁３３Ａの周面３３４において、各ボタン軸４１の径方向外側に当たる部分に表記されている。これにより、ボタンカバー４４が回転しても、直下にボタン軸４１が配置されている部分（押圧部４４３）が分かるようになっている。
【００４４】
この際、図６（Ａ）に示すように、雄ねじ部４４２１は側壁部４４２Ａから、雌ねじ部３３２は側壁３３Ａから突出しているので、雄ねじ部４４２１は、当該雄ねじ部４４２１の突出分、雌ねじ部３３２の内側に配置可能となり、ボタンカバー４４と側壁３３Ａ，３３Ｂとの間には、若干の隙間が形成される。また、ボタンカバー４４は、ボタン軸４１の頭部４１２に当接可能に設置される。これにより、ボタンカバー４４は、ボタン軸４１の軸方向に対して傾斜可能に設けられている。また、ボタンカバー４４は、設置された際に、雄ねじ部４４２１と、雌ねじ部３３２との間に、隙間が設けられるように形成されており、これにより、ボタン軸４１の軸方向により傾斜できるようになっている。
【００４５】
このような本実施形態における時計１Ｄでも、ボタンカバー４４は、ボタン軸４１の軸方向に対して傾斜可能に設けられているとともに、ボタン軸４１は、互いに所定距離だけ離れて設けられているので、押下した押圧部４４３（直下にボタン軸４１が配置されている部分）直下のボタン軸４１のみを、その入力が認識されるように十分に押し込むことができ、各押圧部４４３ごとにボタン操作することができる。また、ボタンカバー４４は、各ボタン軸４１を覆っているので、デザイン性を向上できる。従って、本実施形態の時計１Ｄは、（１）〜（７），（１０）と同様の効果を奏することができるうえ、以下の効果を奏することができる。
【００４６】
（１１）ボタンカバー４４は、側壁３３Ａ，３３Ｂに螺合し回転されて、雄ねじ部４４２１が雌ねじ部３３２を通過し、雄ねじ部４４２１が雌ねじ部３３２の溝３４底面側に配置されることにより、設置される。従って、ボタンカバー４４を設置するのに、治具を使用する必要や、位置決めする必要がなくて組立作業を容易にできる。
【００４７】
図７は、本発明の第５実施形態に係るボタン４の構造を示す時計１Ｅの断面図、図８は、ボタンカバー４４の要部を示す斜視図である。
本実施形態の時計１Ｅは、前述の時計１Ａと略同様の構成を備えるが、前述の時計１Ａでは、ボタンカバー４４は、接着部材４１２１によりボタン軸頭部４１２に接着されていたが、本実施形態の時計１Ｅでは、ボタンカバー４４は、外周側の側壁部４４２Ａに形成された係合部４４６が外周側の側壁３３Ａに形成された突出部３３３の内側に配置され、側壁３３Ａ，３３Ｂに係合されているとともに、ボタン軸頭部４１２に当接可能に設置されている点が前述の時計１Ａとの相違点である。
【００４８】
図７および図８に示すように、溝３４を形成する外周側および内周側の側壁３３Ａ，３３Ｂのうち、外周側の側壁３３Ａには、端縁に沿って溝３４の幅方向に突出する突出部３３３が形成されている。また、本実施形態のボタンカバー４４では、外周側および内周側の側壁部４４２Ａ，４４２Ｂのうち、外周側の側壁部４４２Ａには、複数の係合部４４６が形成されている。係合部４４６は、側壁部４４２Ａの先端から本体部４４１側に向かって形成された２つの切欠き４４２２の間に、弾性変形によって内側に押し込み可能に形成された押込部４４６１と、この押込部４４６１から外側に折曲する掛止片４４６２とから構成されている。
【００４９】
ボタンカバー４４は、作業者により、押込部４４６１が内側に押し込まれながら溝３４に挿入され、押込部４４６１の押し込みが解除される。そして、掛止片４４６２が弾性力により原型状に復元し、掛止片４４６２が突出部３３３の内側に配置されることにより、ボタンカバー４４は、側壁３３Ａ，３３Ｂに係合され、ケース３からの脱落が防止される。また、ボタンカバー４４は、ボタン軸４１の頭部４１２に当接可能に設置されることにより、ボタン軸４１の軸方向に対して傾斜可能に設けられる。なお、本実施形態のボタンカバー４４にも、●▲■の記号は表記されておらず、●▲■の記号は、ケース３において、使用者から見て視認しやすい位置に表記されている。つまり、●▲■の記号は、例えば、側壁３３Ａ，３３Ｂの端面３３１において、各ボタン軸４１の径方向外側あるいは径方向内側に当たる部分や、外周側の側壁３３Ａの周面３３４において、各ボタン軸４１の径方向外側に当たる部分に表記されている。これにより、ボタンカバー４４が回転しても、直下にボタン軸４１が配置されている部分（押圧部４４３）が分かるようになっている。
【００５０】
このような本実施形態における時計１Ｅでも、ボタンカバー４４は、ボタン軸４１の軸方向に対して傾斜可能に設けられているとともに、ボタン軸４１は、互いに所定距離だけ離れて設けられているので、押下した押圧部４４３直下のボタン軸４１のみを、その入力が認識されるように十分に押し込むことができ、各押圧部４４３ごとにボタン操作することができる。また、ボタンカバー４４は、各ボタン軸４１を覆っているので、デザイン性を向上できる。従って、本実施形態の時計１Ｅは、（１）〜（７）と同様の効果を奏することができるうえ、以下の効果を奏することができる。
【００５１】
（１２）ボタンカバー４４は、作業者により押込部４４６１が内側に押し込まれながら溝３４に挿入され、押込部４４６１の押し込みが解除されることにより、掛止片４４６２が突出部３３３の溝３４底面側に配置され、設置される。従って、ボタンカバー４４を設置するのに治具を使用する必要や、位置決めする必要がないうえ、押込部４４６１を内側に押し込みながらボタンカバー４４を溝３４に挿入するだけで、簡単にボタンカバー４４を設置することができるので、組立作業をより容易にできる。
【００５２】
図９は、本発明の第６実施形態に係るボタン４の構造を示す時計１Ｆの断面図である。
本実施形態の時計１Ｆは、前述の時計１Ａと略同様の構成を備えるが、前述の時計１Ａでは、ボタンカバー４４は、接着部材４１２１によりボタン軸頭部４１２に接着されていたのに対し、本実施形態の時計１Ｆでは、図９に示すように、ボタンカバー４４は、合成樹脂製であり、ゴム等の柔軟な素材からなり、平面視略環状、かつ、溝３４の底面側に断面視略Ｔ字状の溝４４７を備えた断面視略Ｃ状に形成されている。そして、●▲■の記号が表記された部分（押圧部４４３）がボタン軸頭部４１２の真上に来るように、各ボタン軸頭部４１２が前記溝４４７に嵌め込まれ、ボタンカバー４４と各ボタン軸頭部４１２とが接合されている点が前述の時計１Ａとの相違点である。
【００５３】
本実施形態では、ボタンカバー４４は、ゴム等の柔軟な素材から構成されているので、ある押圧部４４３が押下された際に、ボタンカバー４４のある押圧部４４３と他の押圧部４４３との間の部分が変形する。これにより、他の押圧部４４３が、押下されたある押圧部４４３に連動して動くことを抑制することができる。また、ボタンカバー４４は、ゴム等の柔軟な素材から構成されているので、ボタン軸４１の軸方向に対し、傾斜可能に設けられている。従って、ある押圧部４４３を押下することで、当該押圧部４４３直下のボタン軸４１のみをその入力が認識されるように十分に押し込むことができ、各押圧部４４３ごとにボタン操作することができる。また、ボタンカバー４４は、各ボタン軸４１を覆っているので、デザイン性を向上できる。従って、本実施形態の時計１Ｆは、（１）〜（８）と同様の効果を奏することができるうえ、以下の効果を奏することができる。
【００５４】
（１３）ボタンカバー４４は、ゴム等の柔軟な素材から構成されているので、ある押圧部４４３が押下された際に、ボタンカバー４４のある押圧部４４３と他の押圧部４４３との間の部分が変形する。これにより、他の押圧部４４３が、押下されたある押圧部４４３に連動して動くことを抑制することができ、よりスムーズに押圧部４４３を押下できて操作性を向上できる。
【００５５】
〔実施形態の変形〕
なお、本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、数量、その他の詳細な構成において、当業者が様々な変形を加えることができるものである。
従って、上記に開示した形状、数量などを限定した記載は、本発明の理解を容易にするために例示的に記載したものであり、本発明を限定するものではないから、それらの形状、数量などの限定の一部もしくは全部の限定を外した部材の名称での記載は、本発明に含まれるものである。
【００５６】
すなわち、前記第４実施形態では、溝３４の外側の側壁３３Ａに雌ねじ部３３２が形成されているとともに、ボタンカバー４４の外側の側壁部４４２Ａに雄ねじ部４４２１が形成されていたが、溝３４の内側の側壁３３Ｂに雌ねじ部３３２が形成されているとともに、ボタンカバー４４の内側の側壁部４４２Ｂに雄ねじ部４４２１が形成されていてもよい。
【００５７】
前記第５実施形態では、溝３４の外側の側壁３３Ａに突出部３３３が形成されているとともに、ボタンカバー４４の外側の側壁部４４２Ａに係合部４４６が形成されていたが、溝３４の内側の側壁３３Ｂに突出部３３３が形成されているとともに、ボタンカバー４４の内側の側壁部４４２Ｂに係合部４４６が形成されていてもよい。
【００５８】
前記第６実施形態では、ゴム等の柔軟な素材からなるボタンカバー４４には、底面側に断面視略Ｔ字状の溝４４７が形成され、この溝４４７にボタン軸頭部４１２が嵌め込まれることにより、ボタンカバー４４とボタン軸頭部４１２とは接合されていたが、ボタンカバー４４とボタン軸頭部４１２とは、接着剤で接着されていてもよい。このような接合方法でも、ボタンカバー４４は、ゴム等の柔軟な素材から構成されているため、ボタン軸４１の軸方向に対し傾斜可能に設けられ、前記第６実施形態と同様の効果を奏することができる。
【００５９】
前記各実施形態では、ボタン軸４１は、３つ設けられていたが、ボタン軸４１は、２つだけ設けられていてもよいし、４つ以上設けられていてもよい。この際、各ボタン軸４１は、押下された押圧部４４３直下のボタン軸４１のみが十分に押し込まれるような距離以上、互いに離れて配置されていればよい。
前記各実施形態では、溝３４およびボタンカバー４４は、平面視略環状に形成されていたが、溝３４およびボタンカバー４４は、平面視四角形状等の平面視多角形状や、平面視楕円形状、平面視半円形状等の円弧形状に形成されていてもよく、平面視でどのような形状に形成されていてもよい。
【００６０】
前記各実施形態では、ボタン軸４１は、溝３４の底面に出没可能に設けられ、その側面側を溝３４を構成する側壁３３Ａ，３３Ｂによって覆われていたが、ボタン軸４１の側面は、断面略Ｕ字状に形成されたボタンカバー４４によって覆われていてもよい。また、ボタン軸４１の側面は、側壁３３Ａ，３３Ｂやボタンカバー４４によって覆われていなくてもよい。
前記第１〜第５実施形態では、ボタンカバー４４が断面略Ｕ字状に形成されることにより、また、前記第６実施形態では、ボタンカバー４４がボタン軸頭部４１２を包み込むことにより、ボタンカバー４４は、ボタン軸４１の頭部４１２を包み込んでいたが、ボタンカバー４４は、ボタン軸頭部４１２を包み込む必要はない。すなわち、ボタンカバー４４は、少なくともボタン軸４１を、ボタン軸４１の軸方向、かつ、ケース３から離れた側から見て覆っていればよく、平板状に形成されていてもよい。
【００６１】
前記各実施形態では、ボタンカバー４４の上面は、側壁３３Ａ，３３Ｂより突出しているが、ボタンカバー４４は、上面が側壁３３Ａ，３３Ｂの上面と略面一となるように設けられていてもよい。このように、設けられれば、ボタン４が誤って押されることを防止することができる。
【００６２】
前記各実施形態では、ボタン４は、略円筒状に形成されたケース３の一端側の面に配設されていたが、周面に配設されていてもよい。
前記ボタン４は、略円筒状に形成されたケース３に配設されていたが、円柱状や立方体状に形成されたケース３に配設されていてもよく、略円筒状に形成されたケース３に配設されることに限定されない。
【００６３】
前記各実施形態では、表示部は、電気泳動ディスプレイパネルを備えて構成されていたが、表示部は、液晶ディスプレイパネルや有機ＥＬ（Electro Luminescence）ディスプレイパネルを備えて構成されていてもよく、電気泳動ディスプレイパネルを備えて構成されることに限定されない。
前記各実施形態では、本発明のボタンを適用し得る表示装置として、時計を例に挙げて説明したが、本発明のボタンは、ＰＤＡ（Personal Digital Assistants）や、携帯電話等の表示装置にも適用可能であり、時計に限定されない。また、本発明のボタンは、表示部を備えていないリモコンや、キーボード等の各種の電子機器にも適用できる。
【図面の簡単な説明】
【００６４】
【図１】本発明の第１実施形態に係る時計の分解斜視図。
【図２】前記実施形態のボタンの構造を示す時計の断面図。
【図３】本発明の第２実施形態に係るボタンの構造を示す時計の断面図。
【図４】本発明の第３実施形態に係るボタンの構造を示す時計の断面図。
【図５】前記実施形態のボタンカバーの要部を示す斜視図。
【図６】本発明の第４実施形態に係るボタンの構造を示す時計の断面図。
【図７】本発明の第５実施形態に係るボタンの構造を示す時計の断面図。
【図８】前記実施形態のボタンカバーの要部を示す斜視図。
【図９】本発明の第６実施形態に係るボタンの構造を示す時計の断面図。
【符号の説明】
【００６５】
１Ａ〜１Ｆ…時計（表示装置）、３…ケース、４…ボタン、３３Ａ，３３Ｂ…側壁、３４…溝、３６…ねじ、３７…ねじ穴、４１…ボタン軸、４４…ボタンカバー、３３３…突出部、４１２…ボタン軸頭部（ボタン軸の頭部）、４４１…本体部、４４２Ａ，４４２Ｂ…側壁部、４４４…受口、４４６…係合部、４１２１…接着部材、４１２３…球状部、４１２４…ジョイント部、４４２１…雄ねじ部、４４５１…孔。
【図１】
2008096232.tif 000003
【図２】
2008096232.tif 000004
【図３】
2008096232.tif 000005
【図４】
2008096232.tif 000006
【図５】
2008096232.tif 000007
【図６】
2008096232.tif 000008
【図７】
2008096232.tif 000009
【図８】
2008096232.tif 000010
【図９】
2008096232.tif 000011